(57)【特許請求の範囲】
【請求項１】
粉体からなる化粧料パウダーを収容するため有底筒状のボトルとして形成された容器本体と、
該容器本体の口部側に設けられ、該容器本体内から化粧料パウダーを振出すときのパウダー振出し量を調整する振出し量調整具と、
前記容器本体内から振出される化粧料パウダーの粒径を均一化するため前記容器本体の口部側に設けられたフィルタ部材と、
前記容器本体の口部に着脱可能に設けられ、該フィルタ部材を外側から覆うように前記口部を閉塞する蓋体とを備え、
前記振出し量調整具は、前記フィルタ部材よりも内側に位置して前記容器本体の口部内に設けられ前記化粧料パウダーの振出し量を調整する複数の調整孔が形成された孔あき中栓により構成し、
前記複数の調整孔は、前記口部内を軸方向に延び前記容器本体の底部側に向けて漸次縮径するテーパ孔として形成する構成としてなるルーズパウダー容器。
【請求項２】
前記容器本体の外径寸法は、前記化粧料パウダーを塗布するためのパフよりも小径に形成してなる請求項１に記載のルーズパウダー容器。
【発明の詳細な説明】
【０００１】
【発明の属する技術分野】
本発明は、例えば白粉等の化粧料を粉状のパウダーとして収容するのに好適に用いられるルーズパウダー容器に関し、特に、ユーザのハンドバック、ポーチ等にコンパクトに収納でき、携帯容器として使用できるようにしたルーズパウダー容器に関する。
【０００２】
【従来の技術】
一般に、ファンデーションや白粉等の粉体化粧料を浅底の受皿内に充填して打型し、この状態で受皿と共に携帯可能に収納するようにしたコンパクトケースは知られている。
【０００３】
また、据え置きタイプの容器として、例えば外径が８０〜１００ｍｍ程度で、全高が４５〜６０ｍｍ程度となった有底の筒状容器からなり、白粉等の化粧料パウダーを粉体状態のまま、突き固めることなく収容するようにしたルーズパウダー容器も知られている。
【０００４】
【発明が解決しようとする課題】
ところで、上述した従来技術によるルーズパウダー容器は、例えば３０ｇ前後の化粧料パウダーを収容する場合に、その外径寸法が８０〜１００ｍｍ程度となって高さ寸法よりも大きく、据え置きタイプの容器として使用されるが、携帯用には不適であるという問題がある。
【０００５】
一方、コンパクトケースに収納する打型タイプの化粧料の場合には、携帯用に便利であるが、浅底の受皿内に化粧料を充填して打型する必要があるため、その内容量は１０ｇ以下に制限されるという問題がある。
【０００６】
また、このような打型タイプの化粧料は、詰め替え容器（レフィル）を用いてコンパクトケース内に収納する場合もあるが、この場合でも内容量は１０ｇ以下に制限されるため、使用期間が短くなり、詰め替え作業に手間がかかるという問題がある。
【０００７】
本発明は上述した従来技術の問題に鑑みなされたもので、本発明の目的は、例えばユーザのハンドバック、ポーチ等にコンパクトに収納でき、持ち運びに便利な携帯容器として使用できると共に、使用期間を長くできるようにしたルーズパウダー容器を提供することにある。
【０００８】
【課題を解決するための手段】
上述した課題を解決するために、請求項１の発明が採用するルーズパウダー容器は、粉体からなる化粧料パウダーを収容するため有底筒状のボトルとして形成された容器本体と、該容器本体の口部側に設けられ、該容器本体内から化粧料パウダーを振出すときのパウダー振出し量を調整する振出し量調整具と、前記容器本体内から振出される化粧料パウダーの粒径を均一化するため前記容器本体の口部側に設けられたフィルタ部材と、前記容器本体の口部に着脱可能に設けられ、該フィルタ部材を外側から覆うように前記口部を閉塞する蓋体とを備え、前記振出し量調整具は、前記フィルタ部材よりも内側に位置して前記容器本体の口部内に設けられ前記化粧料パウダーの振出し量を調整する複数の調整孔が形成された孔あき中栓により構成し、前記複数の調整孔は、前記口部内を軸方向に延び前記容器本体の底部側に向けて漸次縮径するテーパ孔として形成する構成としている。
【０００９】
このように構成することにより、容器本体を外径が小さい細長いボトルとして形成でき、当該ルーズパウダー容器をハンドバック等にコンパクトに収納して簡単に携帯することができる。また、容器本体の口部から蓋体を取外した状態では、該容器本体を反転して上，下に振ることにより、容器本体内から化粧料パウダーを振出すことができ、振出し量調整具でパウダーの振出し量を調整できると共に、フィルタ部材により粒径が細かく均一化された化粧料パウダーを塗布用のパフ等に取出すことができる。
【００１２】
また、振出し量調整具は、フィルタ部材よりも内側に位置して容器本体の口部内に設けられ化粧料パウダーの振出し量を調整する複数の調整孔が形成された孔あき中栓により構成している。
【００１３】
このように、孔あき中栓を用いることにより、各調整孔から振出される化粧料パウダーの量を調整でき、例えば化粧料塗布用のパフ等に適量の化粧料パウダーを取出すことができる。
【００１４】
しかも、複数の調整孔は、口部内を軸方向に延び容器本体の底部側に向けて漸次縮径するテーパ孔として形成している。これにより、化粧料パウダーの使用後にフィルタ部材と孔あき中栓との間に残ったパウダーを、テーパ状の各調整孔を通じて容器本体内に流下させるように戻すことができる。
【００１５】
また、請求項２の発明によると、容器本体の外径寸法は、化粧料パウダーを塗布するためのパフよりも小径に形成している。これにより、容器本体をパフの外径よりも細身のボトルとして形成でき、例えばパフの塗布面のうち一部に化粧料パウダーを取出して、例えばユーザの顔等に化粧料パウダーを局所的に塗布することができる。
【００１６】
【発明の実施の形態】
以下、本発明の実施の形態によるルーズパウダー容器を、例えば白粉等の化粧料容器として用いた場合を例に挙げ添付図面に従って詳細に説明する。
【００１７】
ここで、図１ないし図６は本発明の前提となる参考例を示している。図中、１は容器本体を構成する細長ボトルで、該ボトル１は、例えば合成樹脂または軽量の金属材料等を用いて細長い有底筒状体として形成されている。そして、ボトル１は底部１Ａと筒部１Ｂとからなり、筒部１Ｂの上端側は略円筒状の口部１Ｃとなっている。
【００１８】
また、ボトル１の口部１Ｃには、その外周側に雄ねじ１Ｄが形成され、該雄ねじ１Ｄには後述する蓋体８の雌ねじ８Ｃが螺着され、これにより、口部１Ｃは、蓋体８を用いて着脱可能に閉塞されるものである。そして、ボトル１内には、例えば２０〜３０ｇ程度の化粧料パウダー２（白粉等）が粉体状態のまま、突き固めることなく収容されている。
【００１９】
この場合、ボトル１の外径寸法は、例えば２０〜５０ｍｍ程度で図６に示す如く後述のパフ１２よりも小径に形成されている。また、ボトル１の高さ寸法は、例えば１００〜２００ｍｍ程度となり、ボトル１の外径寸法に対して３〜５倍程度の全高に形成されている。なお、ボトル１の口部１Ｃは、例えば１５〜４５ｍｍ程度の外径寸法に形成されている。
【００２０】
３はボトル１の口部１Ｃ内に着脱可能に設けられた振出し量調整具としての定量中栓で、該定量中栓３は、例えば合成樹脂等の弾性材料を用いて図２、図３に示すように形成され、下側の受け筒４と、該受け筒４に対して上側から着脱可能に嵌合される振出し筒５とにより構成されている。
【００２１】
そして、受け筒４は、口部１Ｃの内径に対応する外径寸法を有した外側筒部４Ａと、該外側筒部４Ａの下端側から径方向内向きに延設された環状底部４Ｂと、該環状底部４Ｂの内周側から上向きにテーパ状をなして突出し外側筒部４Ａ内をほぼ同軸に延びた内側筒部４Ｃとから構成されている。
【００２２】
この場合、内側筒部４Ｃは、下端側から上端側に向けて漸次縮径され、その上端側は後述する振出し筒５の膨出蓋部５Ｂ内に隙間をもって挿入される。また、受け筒４の外側筒部４Ａには、その内周側に振出し筒５を抜止め状態に保持するための係合溝４Ｄ，４Ｄが上，下に離間して形成されている。
【００２３】
一方、振出し筒５は、上部側がボトル１の口部１Ｃ内に嵌合され下部側が受け筒４の外側筒部４Ａ内に各係合溝４Ｄを介して抜止め状態で嵌合される段付筒状の嵌合筒部５Ａと、該嵌合筒部５Ａの内周側に一体形成され嵌合筒部５Ａ内で略ドーム状をなして上向きに膨出した中蓋部としての膨出蓋部５Ｂとから構成されている。
【００２４】
そして、該膨出蓋部５Ｂの下端側内周は、受け筒４の内側筒部４Ｃよりも大径に形成され、後述の環状通路６を内側筒部４Ｃの上端側外周との間に形成するものである。また、振出し筒５には、膨出蓋部５Ｂの外周側に位置し嵌合筒部５Ａの内周面に沿って上，下方向に延びる、例えば合計４個の振出し孔５Ｃ，５Ｃ（２個のみ図示）が周方向に定間隔をもって形成されている。
【００２５】
また、嵌合筒部５Ａの上端側外周には、振出し筒５を受け筒４と共にボトル１の口部１Ｃ内に嵌合して取付けたときに、口部１Ｃの開口側端面に当接する環状の鍔部５Ｄと、後述のフィルタ蓋７が着脱可能に嵌着されるフィルタ嵌着部５Ｅとが形成されている。
【００２６】
そして、定量中栓３は、受け筒４の外側筒部４Ａを振出し筒５の嵌合筒部５Ａの下部外周側に嵌合することにより図２に例示する如く組立てられ、このときに内側筒部４Ｃの上端側が膨出蓋部５Ｂ内に挿入されることによって、内側筒部４Ｃの上端側外周と膨出蓋部５Ｂの下端側内周との間には、図２に示すように環状通路６が形成される。
【００２７】
また、振出し筒５の膨出蓋部５Ｂは、受け筒４の内側筒部４Ｃを上側から隙間をもって覆うことにより、ボトル１を図６に示す如く反転したときに化粧料パウダー２が口部１Ｃ側から過剰に振出されるのを規制し、各振出し孔５Ｃと共に化粧料パウダー２の振出し量をほぼ定量に調整するものである。
【００２８】
７はボトル１の口部１Ｃ上に設けられたフィルタ部材としてのフィルタ蓋で、該フィルタ蓋７は、弾性樹脂材料等を用いて環状の枠体として形成された蓋枠７Ａと、該蓋枠７Ａの内周側を覆うように蓋枠７Ａに一体成形されたフィルタエレメントとしてのメッシュ７Ｂとから構成されている。そして、フィルタ蓋７は、蓋枠７Ａが振出し筒５のフィルタ嵌着部５Ｅ上に着脱可能に嵌着されることにより定量中栓３の上端側に取付けられる。
【００２９】
また、フィルタ蓋７のメッシュ７Ｂは、予め決められた網目（メッシュ径）をもって形成され、化粧料パウダー２のうち粒径が大きいものが後述の如く外部に振出されるのを規制する。そして、粒径の細かい化粧料パウダー２のみがメッシュ７Ｂを通過することにより、図６に示すようにパフ１２上に取出される化粧料パウダー２の粒径を均一化することが可能となる。
【００３０】
８はボトル１の口部１Ｃを閉塞する蓋体で、該蓋体８は、例えば合成樹脂または軽量の金属材料等を用いてボトル１とほぼ同一外径の有蓋筒状体として形成されている。蓋体８は、図１に示す如く蓋部８Ａと筒部８Ｂとからなり、筒部８Ｂの内周側には雌ねじ８Ｃが形成されている。そして、蓋体８は、ボトル１の雄ねじ１Ｄに対して雌ねじ８Ｃを螺着することにより、ボトル１の口部１Ｃをフィルタ蓋７の上側から着脱可能に閉塞するものである。
【００３１】
９は蓋体８の蓋部８Ａに貼着されたシール部材としてのパッキンで、該パッキン９は、弾性樹脂材料等を用いて薄い円板状に形成され、図１に示すように蓋体８の被着時にボトル１の口部１Ｃ上でフィルタ蓋７と蓋部８Ａとの間に挟持される。これによって、パッキン９は、ボトル１の口部１Ｃと蓋体８との間をシールし、外部の塵埃、水分等からボトル１内の化粧料パウダー２を保護すると共に、化粧料パウダー２の漏出等を防止するものである。
【００３２】
次に、１１はパフケース、１２は該パフケース１１内に図５に示す如く収納される化粧料塗布用のパフで、該パフ１２は、例えばユーザが化粧料パウダー２を顔面等に塗布するときに、図６に例示するようにボトル１内の化粧料パウダー２がパフ１２の塗布面１２Ａ上に振り出されるものである。
【００３３】
また、このようなパフ１２は、パフケース１１内に収納された状態で、図４に示すようにユーザのハンドバック、ポーチ等の携帯ケース１３内にボトル１等と共にコンパクトに収納されるものである。
【００３４】
本発明の前提となる参考例によるルーズパウダー容器は上述の如き構成を有するもので、次に、当該容器のボトル１内から化粧料パウダー２を取出す操作について説明する。
【００３５】
まず、化粧料パウダー２のユーザ等が、図１に示す蓋体８をボトル１の口部１Ｃから取外すと、図２に示すようにボトル１の口部１Ｃがフィルタ蓋７と共に外部に露出するようになる。
【００３６】
そして、ボトル１を図２に示す状態から図６に例示するように反転したときには、ボトル１内の化粧料パウダー２が受け筒４の内側筒部４Ｃから振出し筒５の膨出蓋部５Ｂ内に向けて図２中の矢示Ａ方向に流入し、該膨出蓋部５Ｂ内にほぼ一定量の化粧料パウダー２が溜められる。
【００３７】
次に、この状態でボトル１を反転状態から図２に示す正立状態に戻したときには、膨出蓋部５Ｂ内に溜められた化粧料パウダー２の一部が内側筒部４Ｃを介してボトル１内に戻されると共に、残りの化粧料パウダー２が環状通路６を介して受け筒４の環状底部４Ｂ側へと図２中の矢示Ｂ方向に流動し、この環状底部４Ｂ上に化粧料パウダー２がほぼ定量だけ溜められる。
【００３８】
そして、ボトル１を再び反転したときには、受け筒４の環状底部４Ｂ側に溜まった化粧料パウダー２が振出し筒５の振出し孔５Ｃ，５Ｃ，…から図２中の矢示Ｃ方向に振出される。
【００３９】
このように、ボトル１内の化粧料パウダー２は、ボトル１の反転動作または揺動操作等を繰返すことにより、振出し筒５の膨出蓋部５Ｂ内に図２中の矢示Ａ方向で一旦溜められた後に、矢示Ｂ方向へと受け筒４の環状底部４Ｂ側に移され、この環状底部４Ｂ上に溜められた定量の化粧料パウダー２だけが振出し筒５の各振出し孔５Ｃを介して図２中の矢示Ｃ方向に振出される。
【００４０】
そして、このときの化粧料パウダー２は、フィルタ枠７のメッシュ７Ｂにより濾過され、粒径の細かい化粧料パウダー２のみがメッシュ７Ｂを通過し、粒径の大きい化粧料パウダー２が外部に振出されるのを規制することができる。また、前述の如きボトル１の反転動作または揺動操作等を繰返すことによって、粒径の大きい化粧料パウダー２も定量中栓３内で衝突、干渉され、細粒化することができる。
【００４１】
これにより、ボトル１内の化粧料パウダー２を図６に示す如くパフ１２に向けて口部１Ｃから矢示Ｄ方向に振出すときには、化粧料パウダー２のうち粒径が細かい化粧料パウダー２のみがメッシュ７Ｂを通過して流出し、パフ１２上に取出される化粧料パウダー２の粒径を均一化することができる。
【００４２】
そして、ユーザはパフ１２を用いて白粉等の化粧料パウダー２を顔面に塗布することができ、粒径が均一化された化粧料パウダー２を用いることにより、美麗な化粧を施し均一な仕上げ（メイクアップ）化粧等を行うことができる。
【００４３】
かくして、本発明の前提となる参考例によれば、白粉等の化粧料パウダー２を有底筒状の細長ボトル１内に収容し、該ボトル１の口部１Ｃ内には、化粧料パウダー２を振出すときの振出し量を調整する定量中栓３を設けると共に、該定量中栓３の振出し筒５には、その開口端側にフィルタ蓋７を設け、ボトル１の口部１Ｃから振出される化粧料パウダー２の粒径を均一化する構成としている。
【００４４】
このため、外径が小さい細長ボトル１内に、例えば３０ｇ程度の化粧料パウダー２を収容した場合でも、全体を細身な形状に保つことができ、図４に示すようにハンドバック等の携帯ケース１３にパフケース１１と共にコンパクトに収納することができる。
【００４５】
そして、ボトル１等を持運びに便利な形状とすることができ、パフケース１１等共に簡単に携帯できると共に、必要に応じて携帯ケース１３内から容易に取出すことができ、ユーザに対する化粧料パウダー２の使い勝手を確実に向上することができる。
【００４６】
また、ボトル１の口部１Ｃから蓋体８を取外した状態では、該ボトル１を反転して上，下に振ることにより、ボトル１内から化粧料パウダー２を簡単に振出すことができ、定量中栓３を用いて化粧料パウダー２の振出し量を調整できると共に、フィルタ蓋７により粒径が細かく均一化された化粧料パウダー２を塗布用のパフ１２等に容易に取出すことができる。
【００４７】
さらに、ボトル１の外径寸法をパフ１２よりも小径に形成できるので、携帯性を向上できると共に、例えばパフ１２の塗布面１２Ａのうち、その一部（任意箇所）にのみボトル１内の化粧料パウダー２を取出すことができ、ユーザが化粧を行いたい箇所（例えば、顔面の特定箇所）等に化粧料パウダー２を局所的に塗布する操作等を容易に行うことができる。
【００４８】
従って、本発明の前提となる参考例によれば、細長ボトル１内に化粧料パウダー２を収容することにより、当該ルーズパウダー容器をユーザのハンドバック、ポーチ等にコンパクトに収納でき、持ち運びに便利な携帯容器として使用することができる。
【００４９】
また、細長ボトル１を用いることにより、例えば２０〜３０ｇ程度の化粧料パウダー２をボトル１内に収容できるから、使用期間を長くすることができ、従来技術で述べたコンパクトケース等のように化粧料の詰め替えを短期間で行う必要がなく、利便性を確実に高めることができる。
【００５０】
次に、図７および図８は本発明の実施の形態を示している。本実施の形態では前記参考例と同一の構成要素に同一の符号を付し、その説明を省略するものとする。しかし、本実施の形態の特徴は、ボトル１の口部１Ｃ内に振出し量調整具としての孔あき中栓２１を設ける構成としたことにある。
【００５１】
ここで、孔あき中栓２１は、例えば合成樹脂等の弾性材料を用いて有底筒状に形成され、ボトル１の口部１Ｃ内に嵌合された段付筒状の嵌合筒部２１Ａと、該嵌合筒部２１Ａの下端側に一体形成された底部２１Ｂとにより大略構成されている。
【００５２】
そして、孔あき中栓２１には、底部２１Ｂの中心側に隆起部２１Ｃが一体形成され、該隆起部２１Ｃは上向きに半球形状をなして隆起している。また、孔あき中栓２１の底部２１Ｂには、該隆起部２１Ｃの周囲に位置して内周側が調整孔２１Ｄとなった中空突部２１Ｅ，２１Ｅ，…が下向きに突出形成され、該各中空突部２１Ｅは調整孔２１Ｄの軸方向長さを底部２１Ｂの厚さよりも大きくしているものである。
【００５３】
また、各中空突部２１Ｅ内の調整孔２１Ｄは、図８に示すように隆起部２１Ｃの周囲に一定間隔をもって例えば５個配設され、各調整孔２１Ｄは、ボトル１の口部１Ｃ内を底部１Ａ（図１参照）側に向けて軸方向に延びると共に、上端側から下端側に向けて漸次縮径したテーパ孔として形成されている。
【００５４】
そして、孔あき中栓２１は、ボトル１内の化粧料パウダー２を各調整孔２１Ｄを介して流出させると共に、その流出量（振出し量）を調整孔２１Ｄの孔径と個数とによって調整するものである。また、孔あき中栓２１の嵌合筒部２１Ａには、その上端側外周に口部１Ｃの開口側端面に当接する環状の鍔部２１Ｆと、後述のフィルタ蓋２２が着脱可能に嵌着されるフィルタ嵌着部２１Ｇとが形成されている。
【００５５】
２２はボトル１の口部１Ｃ上に設けられたフィルタ部材としてのフィルタ蓋を示し、該フィルタ蓋２２は、前記参考例で述べたフィルタ蓋７と同様に形成され、蓋枠２２Ａとメッシュ２２Ｂとにより構成されている。そして、フィルタ蓋２２は、蓋枠２２Ａが孔あき中栓２１のフィルタ嵌着部２１Ｇ上に着脱可能に嵌着されることによりボトル１の口部１Ｃを上側から覆うものである。
【００５６】
かくして、このように構成される本実施の形態でも、前述した参考例とほぼ同様の作用効果を得ることができるが、特に本実施の形態では、孔あき中栓２１を用いることにより、振出し量調整具の構造を簡素化でき、各調整孔２１Ｄから振出される化粧料パウダー２の量を簡単に調整することができる。
【００５７】
即ち、前記参考例で述べたように、ボトル１を反転して上，下に振ることにより、ボトル１内から化粧料パウダー２を振出すときには、孔あき中栓２１の各調整孔２１Ｄを介して化粧料パウダー２が流出するので、これらの調整孔２１Ｄの孔径と個数とに応じて化粧料パウダー２の振出し量を調整でき、振出し量が過大になるのを防止することができる。
【００５８】
そして、このときの化粧料パウダー２をフィルタ蓋２２のメッシュ２２Ｂで濾過することにより、粒径が細かく均一化された化粧料パウダー２を塗布用のパフ１２等に容易に取出すことができ、パフ１２等を用いて適量の化粧料パウダー２をユーザの使用に供することができる。
【００５９】
また、孔あき中栓２１の底部２１Ｂには、半球形状の隆起部２１Ｃを設けると共に、その周囲にはテーパ孔からなる複数の調整孔２１Ｄ，２１Ｄ，…を設けているので、例えばユーザがボトル１内の化粧料パウダー２を前述の如く振出して使用した後に、フィルタ蓋２２と孔あき中栓２１との間に化粧料パウダー２が残留したとしても、この残留パウダーを、隆起部２１Ｃにより各調整孔２１Ｄ側へと案内しつつ、テーパ状の各調整孔２１Ｄを通じてボトル１内に流下させるように戻すことができる。
【００６０】
このため、化粧料パウダー２の使用後に、フィルタ蓋２２と孔あき中栓２１との間に化粧料パウダー２が残留し続けるのを防止でき、化粧料パウダー２により調整孔２１Ｄに目詰まりが発生する等の問題を解消することができる。
【００６１】
なお、前記実施の形態では、白粉等の化粧料パウダー２をボトル１内に収容する場合を例に挙げて説明したが、本発明はこれに限らず、例えば天花粉等のベビー用パウダー、制汗剤等のボディパウダーを化粧料パウダーとしてボトル１内に収容する構成としてもよいものである。
【００６２】
【発明の効果】
以上詳述した通り、請求項１に記載の発明によれば、ルーズパウダー容器の容器本体を有底筒状のボトルとして形成し、該容器本体の口部側には、化粧料パウダーの振出し量を調整する振出し量調整具と、化粧料パウダーの粒径を均一化するフィルタ部材とを設け、前記振出し量調整具は、フィルタ部材よりも内側に位置して前記容器本体の口部内に設けられ前記化粧料パウダーの振出し量を調整する複数の調整孔が形成された孔あき中栓により構成し、前記複数の調整孔は、前記口部内を軸方向に延び前記容器本体の底部側に向けて漸次縮径するテーパ孔として形成する構成としているので、容器本体を外径が小さい細長いボトルとして形成でき、当該ルーズパウダー容器をハンドバック等にコンパクトに収納して簡単に携帯することができる。
【００６３】
そして、パウダーの使用時には容器本体を反転して上，下に振ることにより、容器内から化粧料パウダーを振出すことができ、振出し量調整具でパウダーの振出し量を調整できると共に、フィルタ部材により粒径が細かく均一化された化粧料パウダーを塗布用のパフ等に取出すことができる。また、容器本体を細長いボトルとすることにより、多量の化粧料パウダーを容易に収容でき、その使用期間を長くできると共に、従来技術で述べたコンパクトケース等のように化粧料の詰め替えを短期間で行う必要がなく、利便性を確実に高めることができる。
【００６５】
また、請求項１の発明は、振出し量調整具を化粧料パウダーの振出し量を調整する複数の調整孔が形成された孔あき中栓により構成しているので、孔あき中栓の各調整孔から振出される化粧料パウダーの量を、調整孔の孔径と個数とに応じて調整でき、例えば化粧料塗布用のパフ等に適量の化粧料パウダーを取出すことができる。
【００６６】
しかも、孔あき中栓の各調整孔は、口部内を軸方向に延び容器本体の底部側に向けて漸次縮径するテーパ孔として形成しているので、化粧料パウダーの使用後にフィルタ部材と孔あき中栓との間に残ったパウダーを、テーパ状の各調整孔を通じて容器本体内へと円滑に流下させるように戻すことができ、各調整孔に目詰まり等が発生するのを防止できる。
【００６７】
また、請求項２に記載の発明によると、容器本体の外径寸法は、化粧料パウダーを塗布するためのパフよりも小径に形成しているため、容器本体をパフの外径よりも細身のボトルとして形成でき、例えばパフの塗布面のうち一部に化粧料パウダーを取出して、例えばユーザの顔等に化粧料パウダーを局所的に塗布することができ、ユーザの多様な要求等に良好に応えることができる。
【図面の簡単な説明】
【図１】  本発明の前提となる参考例によるルーズパウダー容器を示す縦断面図である。
【図２】  図１中の定量中栓およびフィルタ蓋をボトルの口部側と共に示す拡大断面図である。
【図３】  図２中の定量中栓およびフィルタ蓋等をボトルの口部側から取外した分解状態で示す断面図である。
【図４】  携帯ケース内にルーズパウダー容器をパフケースと共に収納した状態を示す斜視図である。
【図５】  図４中のパフケースからパフを取出す状態を示す斜視図である。
【図６】  化粧料パウダーをボトルからパフに振出している状態を示す斜視図である。
【図７】  本発明の実施の形態によるルーズパウダー容器の要部を示す縦断面図である。
【図８】  孔あき中栓の底部側を図７中の矢示VIII−VIII方向からみた断面図である。
【図１】
0004499313.tif 000002
【図２】
0004499313.tif 000003
【図３】
0004499313.tif 000004
【図４】
0004499313.tif 000005
【図５】
0004499313.tif 000006
【図６】
0004499313.tif 000007
【図７】
0004499313.tif 000008
【図８】
0004499313.tif 000009